(57)【要約】【課題】排ガス又は石炭ガス化ガス等の生成ガス中に含有される水銀を高効率で吸着することができる活性炭素繊維及びその製造方法、並びにガス浄化方法を提供する。【解決手段】水銀を含む生成ガス１０２の導入する導入口を側壁に有し、該浄化ガス１０９の排出口を上部に有すると共に、Ｓ含有量が０．１〜３０重量％の活性炭素繊維からなる活性炭素繊維槽１０７Ａが内部に設けられた浄化塔１０４を有するガス浄化装置により、ガス中の水銀を効率良く除去する。【選択図】        図１
2006104598.tif 000002
【特許請求の範囲】
【請求項１】
Ｓ含有量が０．１〜３０重量％であることを特徴とする活性炭素繊維。
【請求項２】
予めＳ分含量が多い活性炭素繊維を用い、高温処理することを特徴とする請求項１記載の活性炭素繊維を製造する活性炭素繊維の製造方法。
【請求項３】
請求項２において、
前記活性炭素繊維がピッチ系活性炭素繊維、ポリアクリロニトリル系活性炭素繊維、フェノール系活性炭素繊維、セルロース系活性炭素繊維であることを特徴とする活性炭素繊維の製造方法。
【請求項４】
請求項２において、
１００〜４００℃において活性炭素繊維に硫黄酸化物ガスを供給し、その後非酸化雰囲気下で６００〜１２００℃で熱処理することを特徴とする活性炭素繊維の製造方法。
【請求項５】
請求項１の活性炭素繊維を吸着剤として用い、ガス中の成分を選択的に吸着することを特徴とするガス浄化方法。
【請求項６】
請求項５において、
前記選択的に吸着する成分が水銀であることを特徴とするガス浄化方法。
【請求項７】
Ｓ含有量が０．１〜２重量％の活性炭素繊維を吸着剤として用い、ガス中の硫黄酸化物成分及び水銀を選択的に吸着・除去することを特徴とするガス浄化方法。
【請求項８】
Ｓ含有量が０．１〜３０重量％の活性炭素繊維を吸着剤として用い、ガス中の水銀を選択的に吸着することを特徴とするガス浄化方法。
【発明の詳細な説明】
【技術分野】
【０００１】
本発明は、本発明は、例えば各種焼却炉、溶融炉、ボイラ、ガスタービン、エンジン等から排出される排ガス又は石炭ガス化ガス等の生成ガス中に含有される水銀を吸着することができる活性炭素繊維及びその製造方法、ガス浄化方法に関する。
【背景技術】
【０００２】
例えば都市ゴミ焼却炉，産業廃棄物焼却炉，汚泥焼却炉等の各種焼却炉から排出される排ガス中には、焼却対象物の種類や焼却条件によって、硫黄酸化物や窒素酸化物の他、水銀等の有害物質が含有されることがあり、人体や動植物に被害をもたらし、自然環境を破壊するものとして、深刻な社会問題化している。
従来、排ガス中に含まれる前記有害物質の除去のため、脱硝触媒として、チタニア（ＴｉＯ2 ）を担体とし、活性成分として五酸化バナジウム（Ｖ2 Ｏ5 ），三酸化タングステン（ＷＯ3 ）等の金属酸化物等を少なくとも一つ担持したものが使用されている。
【０００３】
また、従来においては、排ガスの煤塵の除去と同時に有害物質類を吸着して除去する試みが提案されているが、例えば除塵装置（例えばバグフィルタ）で煤塵と共に有害物質を除去した場合には、該除塵装置のフィルタには、有害物質が吸着されているので、該有害物質を吸着したフィルタを別途処理，二次処理する必要があり、手間がかかるという問題がある。また、排ガス中の水銀を除去する方法として、排ガス中に塩素化合物（例えば塩化カルシウム、塩酸等）を添加等して、塩化水銀（ＨｇＣｌ2 ）として水に吸収捕集する方法が提案されているが、蒸気体の水銀を効率よく除去することが困難であるという問題がある。また、排ガスに不要な塩素化合物を添加するのは、好ましくないという問題がある。さらに、排ガスを脱硫して石灰石膏法により石膏を得る場合には、前記塩化水銀が石膏中に含有するという問題がある。
【０００４】
そこで、本発明者等は水銀等の有害物質を除去するために活性炭素繊維を吸着剤として利用することを提案した（特許文献１）。
【０００５】
【特許文献１】特開２００３−２４０２２６号公報
【発明の開示】
【発明が解決しようとする課題】
【０００６】
しかしながら、特許文献１における水銀の吸着は８０％程度の除去率を示すものの、その寿命は１年程度と短いものであった。近年環境規制が厳しくなり、より長期間に亙って水銀の除去効率が高い活性炭素繊維の出現が望まれている。
【０００７】
本発明は、前記問題に鑑み、排ガス又は石炭ガス化ガス等の生成ガス中に含有される水銀を高効率で吸着することができる活性炭素繊維及びその製造方法、並びにガス浄化方法を提供することを課題とする。
【課題を解決するための手段】
【０００８】
上述した課題を解決するための本発明の第１の発明は、Ｓ含有量が０．１〜３０重量％であることを特徴とする活性炭素繊維にある。
【０００９】
第２の発明は、予めＳ分含量が多い活性炭素繊維を用い、高温処理することを特徴とする第１の発明の活性炭素繊維を製造する活性炭素繊維の製造方法にある。
【００１０】
第３の発明は、第２の発明において、前記活性炭素繊維がピッチ系活性炭素繊維、ポリアクリロニトリル系活性炭素繊維、フェノール系活性炭素繊維、セルロース系活性炭素繊維であることを特徴とする活性炭素繊維の製造方法にある。
【００１１】
第４の発明は、第２の発明において、１００〜４００℃において活性炭素繊維に硫黄酸化物ガスを供給し、その後非酸化雰囲気下で６００〜１２００℃で熱処理することを特徴とする活性炭素繊維の製造方法にある。
【００１２】
第５の発明は、第１の発明の活性炭素繊維を吸着剤として用い、ガス中の成分を選択的に吸着することを特徴とするガス浄化方法にある。
【００１３】
第６の発明は、第５の発明において、前記選択的に吸着する成分が水銀であることを特徴とするガス浄化方法にある。
【００１４】
第７の発明は、Ｓ含有量が０．１〜２重量％の活性炭素繊維を吸着剤として用い、ガス中の硫黄酸化物成分及び水銀を選択的に吸着・除去することを特徴とするガス浄化方法にある。
【００１５】
第８の発明は、Ｓ含有量が１〜１０重量％の活性炭素繊維を吸着剤として用い、ガス中の水銀を選択的に吸着することを特徴とするガス浄化方法にある。
【発明の効果】
【００１６】
本発明によれば、水銀を高効率で吸着することができ、外部への水銀の拡散を防止することができる。
【発明を実施するための最良の形態】
【００１７】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【００１８】
［実施の形態］
本発明による実施の形態に係る活性炭素繊維及びその活性炭素繊維を用いたガス浄化装置について、図面を参照しつつ説明する。
【００１９】
本実施の形態にかかる活性炭素繊維は、Ｓ含有量が０．１〜３０重量％、好適には０．５〜２０重量％であることが好ましく、より好ましくは１〜１０重量％とするのがよい。これは、Ｓ含量が０．１重量％未満であると、水銀除去効率向上が発現されず、また３０重量％を超えると炭素繊維化が困難であるからである。
【００２０】
特に、水銀のみを吸着する場合には、１〜１０重量％とするのが好ましい。また、脱硫と併用する場合には０．１〜２重量％とするのがよい。これは２重量％を超えると脱硫性能が低下するので好ましくないからである。
【００２１】
ここで、原料となる活性炭素繊維の種類としては、特に制限はなく、ピッチ系、ポリアクリロニトリル系、フェノール系、セルロース系等の活性炭素繊維を用いることができる。これらの中でも、特に活性炭素繊維の表面の疎水性のより高いものが望ましく、具体的にはピッチ系活性炭素繊維等を挙げることができる。
【００２２】
また、水銀の吸着能を向上させた活性炭素繊維の製造方法としては、Ｓ成分含有量の高いピッチ系等の活性炭素繊維を原料として用いて製造する方法と、Ｓ成分含有量が低いピッチ系等の活性炭素繊維原料に含Ｓ化合物を供給してＳ成分を含有させる方法との二種類がある。
【００２３】
Ｓ成分含有量の高いピッチ系等の活性炭素繊維を原料として用いる場合の製造方法は、窒素ガス、不活性ガス等の非酸化雰囲気下で、通常６００〜１，２００℃程度の温度で熱処理する。ここで熱処理時間は、処理温度等に応じて適宜定めればよい。
この熱処理により、親水性である酸素官能基の一部または全部がＣＯ、ＣＯ2 等として除去されているので、処理前に比べて疎水性の大きな表面となる。
【００２４】
また、Ｓ成分含有量が低いピッチ系等の活性炭素繊維原料に含Ｓ化合物を供給してＳ成分を含有させる方法は、例えば先ず１００〜４００℃において活性炭素繊維に硫黄酸化物ガス（ＳＯｘ）を供給し、その後非酸化雰囲気下で６００〜１２００℃で熱処理する。又は、繊維原料にナフタレンスルホン酸等を混入し、その後紡糸して所定の熱処理を行う。このように、予めＳ成分を含有させた後に、高温で黒鉛化をすることで、水銀除去効率の高い活性炭素繊維を得ることができる。
【００２５】
図５に活性炭素繊維の模式図を示す。活性炭素繊維１１のＡ拡大に示すＤは活性炭素繊維１１の直径であり、例えば１０〜２０μｍ程度である。そのＢ拡大は、表面の様子を模式化したものであり、活性炭素繊維の表面に連続した形成されたミクロ細孔１２は、その細孔径ｄが例えば０．３〜１．３ｎｍの範囲としている。これは金属水銀の半径が０．３１ｎｍであり、塩化水銀の半径が０．８１ｎｍであるので、前述した範囲であるとミクロ細孔１２内に水銀が効率良く吸着することになる。
【００２６】
この活性炭素繊維の具体的な製造例を下記に示す。
＜具体例１＞
フェノール系活性炭素繊維（「クラクティブ−２０」、クラレケミカル（株）製）を用い、これを窒素雰囲気中で９００〜１，２００℃の温度範囲内で３時間焼成する。
＜具体例２＞
ポリアクリロニトリル系活性炭素繊維（「ＦＸ−６００」、東邦レーヨン（株）製）を用い、該活性炭素繊維を例えばナフタレンスルホン酸、ベンゼンスルホン酸、チオフェン、Ｓ含有ピッチ等のＳ分供給物質の溶液に所定時間浸漬させる。これを窒素雰囲気中で９００〜１，２００℃の温度範囲内で２時間焼成する。
これにより、所定のＳ分含有量の活性炭素繊維を得ることができる。
【００２７】
また、活性炭素繊維を製造する方法において、紡糸用のピッチ調整時に、前記Ｓ分供給物質を所定量添加して所定のＳ分含有量を有する活性炭素繊維を紡糸し、その後ピッチの溶融紡糸、ピッチ繊維の不融化、不融化ピッチ繊維の賦活処理をするようにしてもよい。
【００２８】
この得られた活性炭素繊維を吸着剤として用い、ガス中の成分の中で水銀を選択的に吸着することができる。
【００２９】
前述したように、水銀のみを吸着する場合には、Ｓ含有量が０．１〜３０重量％の活性炭素繊維を吸着剤として用い、ガス中の水銀を選択的に吸着することができる。
【００３０】
また、前述したように、水銀の吸着と脱硫処理とを併用する場合には、Ｓ含有量が０．１〜２重量％の活性炭素繊維を吸着剤として用い、ガス中の硫黄酸化物成分及び水銀を選択的に吸着・除去することができる。
【００３１】
また、脱硫処理と併用する場合には、一つの浄化塔内にＳ含有量が０．１〜３０重量％の活性炭素繊維を吸着材とした活性炭素繊維槽を配設して処理する方法と、Ｓを含有しない通常の活性炭素繊維を吸着剤とした活性炭素繊維槽をガス流れ前段側に設け、ガス流れ後段側にＳ含有量が１〜１０重量％の活性炭素繊維を吸着剤とした活性炭素繊維槽を設けるようにしてもよい。また、これらを一つの浄化塔に配設する代わりに、独立した浄化塔を２塔設けるようにしてもよい。
【００３２】
以下、本発明の活性炭素繊維を用いて、水銀を含有するガスを浄化する浄化装置について図面を参照して説明する。
【００３３】
図１は、本実施の形態に係るガス浄化装置を示す概念図である。
図１に示すように、本実施の形態に係るガス浄化装置は、例えば石炭ガス化設備における水銀を含む生成ガス１０２の導入する導入口を側壁（又は下部）に有し、該浄化ガス１０９の排出口を上部に有すると共に、Ｓ含有量が０．１〜３０重量％の活性炭素繊維からなる活性炭素繊維槽１０７Ａが内部に設けられた浄化塔１０４を有するものである。本実施の形態では活性炭素繊維槽１０７Ａは２段としているが、本発明はこれに限定されるものではない。そして、前記浄化塔１０４内に生成ガス１０２を図示しない押込みファンで送給することで、生成ガス１０２が活性炭素繊維槽１０７Ａを構成する活性炭素繊維と接触し、生成ガス１０２中に含まれる水銀を除去するようにしている。
ここで、本発明で水銀を含むガスとは、前述した生成ガス以外に、例えば都市ゴミ焼却炉，産業廃棄物焼却炉，汚泥焼却炉等の各種焼却炉から排出される排ガスを挙げることができるが、水銀を含むガスであればこれらに限定されるものではない。
【００３４】
前記活性炭素繊維槽は活性炭素繊維からなる浄化部材を複数充填してなるものであり、複数段から構成されている。前記浄化部材は例えば断面形状が略三角形で、内部が空洞になっており、空洞内をガスが通過する際に、活性炭素繊維の表面において水銀の吸着がなされることになる。
【００３５】
石炭ガス化炉からの生成ガス中の水銀を除去する場合には、図１に示すように特に乾式で水銀の除去を行うようにしている。
【００３６】
次に、図２を参照して湿式の水銀除去を行う場合について説明する。
図２に示すように、湿式法で行う場合には、ガス中に含まれる硫黄酸化物を脱硫する際に、水１０５を供給することにより、希硫酸１０６が生じるので、この希硫酸１０６とともに、水銀を吸着するようにしてもよい。
【００３７】
次に、図３を参照してボイラ排ガス中の硫黄酸化物及び水銀除去を行う場合について説明する。
図３に示すように、ボイラ１００からの排ガス１０１が浄化塔１０４の下部に供給され、浄化塔１０４内に内装されたＳ含有量が０．１〜２重量％の活性炭素繊維からなる活性炭素繊維槽１０７Ｂが内部に設けられた浄化塔１０４を有するものである。
この活性炭素繊維１０７Ｂは前述したように脱硫性能と水銀除去性能とを併用するので、脱硫及び水銀除去を効率良く行うことができる。
【００３８】
次に、図４を参照してボイラ排ガス中の硫黄酸化物及び水銀除去を行う場合について説明する。
図４に示すように、浄化塔１０４のガス流れ前段側（塔下部側）の２段に通常の活性炭素繊維からなる活性炭素繊維槽１０７Ｃが配設され、ガス流れ後段側（塔上部側）にＳ含有量が０．１〜３０重量％の活性炭素繊維を吸着材とした活性炭素繊維槽を配設してなるものである。
これにより、脱硫性能と水銀除去性能が共に向上したガス浄化を行うことができる。
【００３９】
なお、所定期間に亙ってガスを浄化した活性炭素繊維槽の活性炭素繊維はその吸着効率が低下する。
そこで、水銀の吸着効率が低下した場合には、前記処理液２０１として、例えば次亜塩素酸塩水溶液、塩素水、オゾン水、過酸化水素水のいずれかを用いて処理することにより再生することができる。
前記次亜塩素酸塩としては、次亜塩素酸ナトリウム（ＮａＣｌＯ）、次亜塩素酸カルシウム（Ｃａ（ＣｌＯ）２）を挙げることができる。
また、前記次亜塩素酸塩水溶液又は塩素水は、有効塩素濃度が０．０１〜１０％、好ましくは、０．１〜２重量％とするのがよい。
【００４０】
この次亜塩素酸塩水溶液の供給により、水銀は［ＨｇＣｌ４］２-となって脱離され、水等に易溶性の錯体を形成することになる。よって、水を供給することにより、水に速やかに移行する。よって、従来のような加熱により水銀を脱離させた際に、外部に飛散するようなことも解消される。
【００４１】
また、水銀を錯体イオンとして回収した処理液は別途水銀処理槽に送給され、ここで、例えば凝集・沈澱処理、キレート剤による捕集処理等により個別に回収することができる。
【００４２】
また、オゾン水、過酸化水素水の濃度としては、０．０１〜１０％とするのが好ましい。オゾン水等の場合には水銀は酸化水銀として脱離される。
【産業上の利用可能性】
【００４３】
以上のように、本発明にかかる活性炭素繊維は水銀の除去効率が飛躍的に向上するので、水銀を外部へ飛散することが防止するガス浄化装置に用いて適している。
【図面の簡単な説明】
【００４４】
【図１】実施の形態にかかるガス浄化装置（乾式）の概略図である。
【図２】実施の形態にかかるガス浄化装置（湿式）の概略図である。
【図３】実施の形態にかかるボイラ排ガスを処理するガス浄化装置の概略図である。
【図４】実施の形態にかかる他のボイラ排ガスを処理するガス浄化装置の概略図である。
【図５】活性炭素繊維の水銀の吸着脱離の模式図である。
【符号の説明】
【００４５】
１００  ボイラ
１０１  排ガス
１０３  液循環ライン
１０４  浄化塔
１０５  水
１０６  希硫酸
１０７Ａ、１０７Ｂ、１０７Ｃ  活性炭素繊維槽
１０９  浄化ガス
１１０  煙突
【図１】
2006104598.tif 000003
【図２】
2006104598.tif 000004
【図３】
2006104598.tif 000005
【図４】
2006104598.tif 000006
【図５】
2006104598.tif 000007